(57)【要約】【課題】連続的作業でナットやボルト等の締め付けが出来る画期的なモンキーレンチを提供する。【解決手段】被回転対象物Ｚを挟む互いに平行な挟持面部１０Ａ，１０Ｂを有する固定顎部１Ａと可動顎部１Ｂと、可動顎部１Ｂをスライドさせ挟持面部１０Ａ，１０Ｂの間隔寸法Ｌ０を調節する回転ウォーム体４と、を備えるヘッド２を具備し、ヘッド２を傾動可能に枢結するハンドル３と、被回転対象物Ｚへの回転トルクＴの伝達をＯＮ状態とＯＦＦ状態に切り替えるラチェット機構５と、を備え、ラチェット機構５は、ＯＮ状態で、ヘッド２の一方向Ａへの揺動の際に可動顎部１Ｂを固定して被回転対象物Ｚに回転トルクＴを伝達し、かつ、ＯＦＦ状態で、ヘッド２の逆方向Ｂへの揺動の際に回転ウォーム体４を軸心方向に逃がして被回転対象物Ｚに回転トルクＴを伝達しないように構成されている。【選択図】図１
0003162960.tif 000002
【実用新案登録請求の範囲】
【請求項１】
被回転対象物（Ｚ）を挟む互いに平行な挟持面部（１０Ａ）（１０Ｂ）を有する固定顎部（１Ａ）と可動顎部（１Ｂ）と、該可動顎部（１Ｂ）をスライドさせ該挟持面部（１０Ａ）（１０Ｂ）の間隔寸法（Ｌ０）を調節する回転ウォーム体（４）と、を備えるヘッド（２）を具備し、
該ヘッド（２）を傾動可能に枢結するハンドル（３）と、上記被回転対象物（Ｚ）への回転トルク（Ｔ）の伝達をＯＮ状態とＯＦＦ状態に切り替えるラチェット機構（５）と、を備え、
該ラチェット機構（５）は、上記ＯＮ状態で、上記ヘッド（２）の一方向（Ａ）への揺動の際に上記可動顎部（１Ｂ）を固定して上記被回転対象物（Ｚ）に回転トルク（Ｔ）を伝達し、かつ、上記ＯＦＦ状態で、上記ヘッド（２）の逆方向（Ｂ）への揺動の際に上記回転ウォーム体（４）を軸心方向に逃がして上記被回転対象物（Ｚ）に回転トルク（Ｔ）を伝達しないように構成されていることを特徴とするモンキーレンチ。
【請求項２】
上記挟持面部（１０Ａ）（１０Ｂ）に、炭素繊維強化プラスチックから成る薄板片（１１）（１１）を付設した請求項１記載のモンキーレンチ。
【請求項３】
被回転対象物（Ｚ）を挟む互いに平行な挟持面部（１０Ａ）（１０Ｂ）を有する固定顎部（１Ａ）と可動顎部（１Ｂ）と、該可動顎部（１Ｂ）をスライドさせ該挟持面部（１０Ａ）（１０Ｂ）の間隔寸法（Ｌ０）を調節する回転ウォーム体（４）と、を備えるモンキーレンチであって、
上記挟持面部（１０Ａ）（１０Ｂ）に、炭素繊維強化プラスチックから成る薄板片（１１）（１１）を付設したことを特徴とするモンキーレンチ。
【考案の詳細な説明】
【技術分野】
【０００１】
本考案は、モンキーレンチに関する。
【背景技術】
【０００２】
従来、開口幅の寸法を調節自在としたモンキーレンチ（自在スパナ）が広く知られている（特許文献１参照）。
【先行技術文献】
【特許文献】
【０００３】
【特許文献１】特開２００４−４２２４０号公報
【考案の概要】
【考案が解決しようとする課題】
【０００４】
しかし、従来のモンキーレンチは、ナットやボルト等の締結作業時に、連続して作業を行なうことができなかった。即ち、開口幅の寸法を調整してナットの頭部に嵌め合わせてから、ハンドルを所定の角度まで回してナットを締めた後、一旦ナットの頭部からモンキーレンチを取外して、またナットの頭部に嵌め直す手順を繰り返して使用される。狭い配管設備や複雑な機械内部の作業に於て、モンキーレンチの開口幅の寸法を調整し直してナットの頭部に嵌め直す作業を繰り返すことは、煩雑で作業効率が悪く、非常に面倒であった。
また、鉄系材料から成るナットやボルトの表面には、金メッキや光沢のあるクロームメッキ等で美観向上のための処理が施されていることが多く、モンキーレンチによる締結作業によって、疵（傷）を付けてしまい美観を損なうという問題があった。
【０００５】
そこで、本考案は、連続的作業でナットやボルト等の締め付けが出来るモンキーレンチを提供することを目的とする。
【課題を解決するための手段】
【０００６】
本考案に係るモンキーレンチは、被回転対象物を挟む互いに平行な挟持面部を有する固定顎部と可動顎部と、該可動顎部をスライドさせ該挟持面部の間隔寸法を調節する回転ウォーム体と、を備えるヘッドを具備し、該ヘッドを傾動可能に枢結するハンドルと、上記被回転対象物への回転トルクの伝達をＯＮ状態とＯＦＦ状態に切り替えるラチェット機構と、を備え、該ラチェット機構は、上記ＯＮ状態で、上記ヘッドの一方向への揺動の際に上記可動顎部を固定して上記被回転対象物に回転トルクを伝達し、かつ、上記ＯＦＦ状態で、上記ヘッドの逆方向への揺動の際に上記回転ウォーム体を軸心方向に逃がして上記被回転対象物に回転トルクを伝達しないように構成されているものである。
【０００７】
また、上記挟持面部に、炭素繊維強化プラスチックから成る薄板片を付設したものである。
また、被回転対象物を挟む互いに平行な挟持面部を有する固定顎部と可動顎部と、該可動顎部をスライドさせ該挟持面部の間隔寸法を調節する回転ウォーム体と、を備えるモンキーレンチであって、上記挟持面部に、炭素繊維強化プラスチックから成る薄板片を付設したものである。
【考案の効果】
【０００８】
本考案のモンキーレンチによれば、抜き差しのセッティングをする手間を少なくすることができ、連続的動作で被回転対象物の締結が可能となる。
【図面の簡単な説明】
【０００９】
【図１】本考案のモンキーレンチのＯＮ状態を示した正面図である。
【図２】本考案のモンキーレンチのＯＦＦ状態を示した正面図である。
【図３】モンキーレンチの要部断面正面図である。
【図４】モンキーレンチの分解斜視図である。
【図５】モンキーレンチの作用説明図である。
【考案を実施するための形態】
【００１０】
以下、実施の形態を示す図面に基づき本考案を詳説する。
図１〜図４に示すように、本考案のモンキーレンチは、ボルトやナット等の被回転対象物Ｚを挟む互いに平行な挟持面部１０Ａ，１０Ｂを有する一対の固定顎部１Ａと可動顎部１Ｂと、可動顎部１Ｂをスライドさせ挟持面部１０Ａ，１０Ｂの間隔寸法Ｌ０を調節する回転ウォーム体４と、を備えるヘッド２を具備している。
ヘッド２は、固定顎部１Ａの挟持面部１０Ａと、可動顎部１Ｂの挟持面部１０Ｂと、を相互に対面状として、開口部２０を形成している。ヘッド２は、挟持面部１０Ａ，１０Ｂの間隔寸法Ｌ０（開口部２０の開口寸法）を調節自在とするように、固定顎部１Ａを有する第１顎ブロック２１に、可動顎部１Ｂを有する第２顎ブロック２２をスライド自在に連結している。第１顎ブロック２１は、固定顎部１Ａを突出する保持部２５を有し、保持部２５にガイド溝１２を内設している。第２顎ブロック２２は、可動顎部１Ｂを突出すると共に複数のラック１４ａ…を有する被ガイド部１４を、第１顎ブロック２１のガイド溝１２に摺動自在に嵌入している。
【００１１】
ヘッド２は、人の手で把持する把持部３０を有するハンドル３に傾動可能に枢結されている。ハンドル３は、互いに平行な一対の枢着板部３１，３１を延設し、枢着板部３１，３１間に空間１３を形成している。枢着板部３１には、一端側に、枢結軸１５を挿通するための軸孔３１ａを貫設し、他端側には、位置決め孔３１ｂを貫設している。また、枢着板部３１は、係合突部１７を突設し、係合突部１７の近傍に係合段部１８を形成している。一対の枢着板部３１，３１に於て、係合突部１７，１７、係合段部１８，１８、軸孔３１ａ，３１ａ、位置決め孔３１ｂ，３１ｂは、夫々が対応した位置に形成され、正面視に於て重なって見えるように空間１３を挟んで並設されている。
第１顎ブロック２１は、空間１３に配設される扇形部２３と、保持部２５と扇形部２３の接続部に沿って形成される並進孔２７と、扇形部２３の弧状縁に沿って設けられる弧状ガイドスロット２４と、弧状ガイドスロット２４に設けられるばね部材２８と、ハンドル３の軸孔３１ａ，３１ａに対応して枢結軸１５を挿通する軸孔２６と、を有している。弧状ガイドスロット２４は、ハンドル３の枢着板部３１，３１に形成された位置決め孔３１ｂ，３１ｂに対応し、位置決め孔３１ｂ，３１ｂに挿通されたピン部材１６が、ばね部材２８を上方から押圧するように弧状ガイドスロット２４に挿通されている。ガイド溝１２は、並進孔２７に連通しており、ガイド溝１２に嵌着された第２顎ブロック２２は、ラック１４ａ…を並進孔２７に露出している。
【００１２】
回転ウォーム体４は、外周面に螺旋状の螺子切り部４０を有するウォームギヤから成る。回転ウォーム体４は、弾発部材１９が外嵌されたガイドバー４２を挿通し、並進孔２７に回転自在に枢支されている。回転ウォーム体４の螺子切り部４０は、第２顎ブロック２２のラック１４ａ…と噛合している。回転ウォーム体４を回転させることで、第２顎ブロック２２を螺進させ、挟持面部１０Ａ，１０Ｂの間隔寸法Ｌ０を調節自在としている。弾発部材１９は、可動顎部１Ｂの挟持面部１０Ｂが固定顎部１Ａの挟持面部１０Ａに近接する方向に、回転ウォーム体４を常時弾発付勢している。言い換えると、回転ウォーム体４は、弾発部材１９に弾発付勢され、挟持面部１０Ａ，１０Ｂの間隔寸法Ｌ０が狭小となる方向に第２顎ブロック２２を押圧している。
【００１３】
図１及び図２に示すように、モンキーレンチは、被回転対象物Ｚへの回転トルクＴの伝達をＯＮ状態とＯＦＦ状態に切り替えるラチェット機構５と、を備えている。
ラチェット機構５は、ＯＮ状態で、ヘッド２の一方向Ａへの揺動の際に可動顎部１Ｂを固定して被回転対象物Ｚに回転トルクＴを伝達し、かつ、ＯＦＦ状態で、ヘッド２の逆方向Ｂへの揺動の際に回転ウォーム体４を軸心方向に逃がして被回転対象物Ｚに回転トルクＴを伝達しないように構成されている。
言い換えると、図１に示すＯＮ状態に於て、ハンドル３は、係合段部１８，１８にてヘッド２の一部を押圧し、ヘッド２を係止しつつ一方向Ａへ揺動させ、これと同時に、係合突部１７，１７にて回転ウォーム体４が軸心方向に逃げないように係止し、可動顎部１Ｂを固定して挟持面部１０Ｂを位置決めしている。こうして、挟持面部１０Ａ，１０Ｂで確実に被回転対象物Ｚを挟持して、回転トルクＴを伝達するように構成している。対して、図２に示すＯＦＦ状態に於ては、ハンドル３は、ヘッド２に対して傾倒しつつヘッド２を逆方向Ｂへ揺動させ、回転ウォーム体４が並進孔２７内で軸心方向に逃げられるように係合突部１７，１７を退避し、可動顎部１Ｂに遊びを付与して被回転対象物Ｚに回転トルクＴを伝達しないように構成されている。
【００１４】
また、モンキーレンチは、挟持面部１０Ａ，１０Ｂに、炭素繊維強化プラスチックから成る薄板片１１，１１を付設している。薄板片１１は、挟持面部１０Ａ，１０Ｂの面形状に合わせて成形され、固定顎部１Ａと可動顎部１Ｂに夫々接着されている。薄板片１１，１１は、挟持面部１０Ａ，１０Ｂを保護すると共に、被回転対象物Ｚに疵が付くのを防止する役割を果たしている。
なお、炭素繊維強化プラスチックとは、骨材の役割を果たす炭素繊維（カーボンファイバー）と、マトリックス（接着剤）としてのエポキシ樹脂と、を混合し、金型で加熱圧縮成形して作製され、十分な硬度を有し、かつ、弾力性及び耐摩擦性に優れる材料である。
【００１５】
上述した本考案のモンキーレンチの使用方法（作用）について説明する。
図５（ａ）に示すように、被回転対象物Ｚをヘッド２の開口部２０に入れ、回転ウォーム体４を操作して可動顎部１Ｂをスライドさせ、被回転対象物Ｚに嵌め合わせるように挟持面部１０Ａ，１０Ｂの間隔寸法Ｌ０を調節する。
図５（ｂ）に示すＯＮ状態に於て、ハンドル３を回してヘッド２が一方向Ａに揺動する際に、ラチェット機構５は、確実に可動顎部１Ｂを固定し、被回転対象物Ｚに回転トルクＴを伝達する。被回転対象物Ｚは、回転トルクＴにより回転し、目印Ｘが付された箇所が時計回り方向に移動する。一方、図５（ｃ）に示すＯＦＦ状態に於て、ハンドル３を戻してヘッド２が逆方向Ｂに揺動する際には、ヘッド２がばね部材２８（図示省略）の弾発付勢力に反して所定角度だけ傾動すると共に、ラチェット機構５により、弾発部材１９の弾発付勢力に反して回転ウォーム体４を軸心方向に逃がし、被回転対象物Ｚに回転トルクＴを伝達しない。この際、被回転対象物Ｚは、挟持面部１０Ａ，１０Ｂに摺接しつつ可動顎部１Ｂを押し退けて、目印Ｘを戻す方向（反時計回り方法）に移動させる回転トルクの伝達を回避する。
そして、図５（ｄ）に示すように、ハンドル３を始動位置に戻して、ばね部材２８及び弾発部材１９の弾発付勢力によって、挟持面部１０Ａ，１０Ｂが被回転対象物Ｚを挟持するＯＮ状態に復元する。こうして、被回転対象物Ｚを開口部２０に嵌め合わせるセッティング作業を初めに一回だけ行なうのみで、ハンドル３を往復動し、ヘッド２を一方向Ａと逆方向Ｂに交互に繰り返し揺動させることで、被回転対象物Ｚを時計回り方向にのみ連続的に回転させ、被回転対象物Ｚを締結する。
なお、モンキーレンチの締結作業の際に、薄板片１１，１１は、被回転対象物Ｚに摺接する挟持面部１０Ａ，１０Ｂが削れて破損することがないように保護し、被回転対象物Ｚに疵を付くのを防止する。
【００１６】
なお、図示省略するが、本考案は、被回転対象物Ｚを挟む互いに平行な挟持面部１０Ａ，１０Ｂを有する固定顎部１Ａと可動顎部１Ｂと、可動顎部１Ｂをスライドさせ挟持面部１０Ａ，１０Ｂの間隔寸法Ｌ０を調節する回転ウォーム体４と、を備えるモンキーレンチであって、挟持面部１０Ａ，１０Ｂに、炭素繊維強化プラスチックから成る薄板片１１，１１を付設するも望ましい。この場合、既述のラチェット機構５は省略されている。薄板片１１，１１を挟持面部１０Ａ，１０Ｂに付設したことにより、被回転対象物Ｚに疵を付けずに締結作業を行なうことが可能である。
【００１７】
以上のように、本考案は、被回転対象物Ｚを挟む互いに平行な挟持面部１０Ａ，１０Ｂを有する固定顎部１Ａと可動顎部１Ｂと、可動顎部１Ｂをスライドさせ挟持面部１０Ａ，１０Ｂの間隔寸法Ｌ０を調節する回転ウォーム体４と、を備えるヘッド２を具備し、ヘッド２を傾動可能に枢結するハンドル３と、被回転対象物Ｚへの回転トルクＴの伝達をＯＮ状態とＯＦＦ状態に切り替えるラチェット機構５と、を備え、ラチェット機構５は、ＯＮ状態で、ヘッド２の一方向Ａへの揺動の際に可動顎部１Ｂを固定して被回転対象物Ｚに回転トルクＴを伝達し、かつ、ＯＦＦ状態で、ヘッド２の逆方向Ｂへの揺動の際に回転ウォーム体４を軸心方向に逃がして被回転対象物Ｚに回転トルクＴを伝達しないように構成されているので、抜き差しのセッティングをする手間を少なくすることができ、連続的動作で被回転対象物Ｚの締結が可能となる。
【００１８】
また、挟持面部１０Ａ，１０Ｂに、炭素繊維強化プラスチックから成る薄板片１１，１１を付設したので、締結作業時に被回転対象物Ｚに疵が付きにくい。また、磁性を帯びたボルト、ナットにも金属材が付着することが無い。一時的に熱を持った材料の締め付けにも熱変性を起こさない。優れた耐久性を有し、万一、破損した場合であっても容易に交換できる。
【００１９】
また、被回転対象物Ｚを挟む互いに平行な挟持面部１０Ａ，１０Ｂを有する固定顎部１Ａと可動顎部１Ｂと、可動顎部１Ｂをスライドさせ挟持面部１０Ａ，１０Ｂの間隔寸法Ｌ０を調節する回転ウォーム体４と、を備えるモンキーレンチであって、挟持面部１０Ａ，１０Ｂに、炭素繊維強化プラスチックから成る薄板片１１，１１を付設したので、被回転対象物Ｚに疵を付けずに締結作業を行なうことが可能である。
【符号の説明】
【００２０】
１Ａ  固定顎部
１Ｂ  可動顎部
２  ヘッド
３  ハンドル
４  回転ウォーム体
５  ラチェット機構
１０Ａ，１０Ｂ  挟持面部
１１  薄板片
Ｚ  被回転対象物
Ｌ０  間隔寸法  
Ｔ  回転トルク
Ａ  一方向
Ｂ  逆方向
【図１】
0003162960.tif 000003
【図２】
0003162960.tif 000004
【図３】
0003162960.tif 000005
【図４】
0003162960.tif 000006
【図５】
0003162960.tif 000007